(57)【要約】【課題】  この考案は、作業性がよく、高い防水性が得られる防水衣服を提供する。【解決手段】  この考案は、撥水性の表地１１と、裏地１２と、前記表地１１と裏地１２の間に配せられた水蒸気を透過し、液体を透過しないポリマーフィルム層１３と、を有する防水加工布を２枚重ね合わせて接合した防水衣服において、防水加工布１1、１2を２枚重ね合わせて接合した防水衣服において、所定の形状に裁断された２枚の防水加工布１1、１2のそれぞれの表地１１、１１側がホットメルト樹脂１４を介して重ね合わされるとともに、接合すべき一方の防水加工布１1の裏地１２側がホットメルト樹脂１４を介して折り返して重ね合わされ、前記ホットメルト樹脂１４により、２枚の防水加工布１1、１2表地１１、１１および一方の防水加工布の裏地１２側が溶融接着されている。【選択図】    図４
0003194161.tif 000002
【実用新案登録請求の範囲】
【請求項１】
撥水性の表地と、裏地と、前記表地と裏地の間に配せられた水蒸気を透過し、液体を透過しないポリマーフィルム層と、を有する防水加工布を２枚重ね合わせて接合した防水衣服において、所定の形状に裁断された２枚の防水加工布のそれぞれの表地、側がホットメルト樹脂を介して重ね合わされるとともに、接合すべき一方の防水加工布の裏地側がホットメルト樹脂を介して折り返して重ね合わされ、前記ホットメルト樹脂により、２枚防水加工布の表地および一方の防水加工布の裏地側が溶融接着されていることを特徴とする防水衣服。
【請求項２】
前記ポリマーフィルム層は、温度反応記憶機能を有する形状記憶ポリマーであることを特徴とする請求項１に記載の防水衣服。
【請求項３】
前記表地はナイロンタッサー、裏地はナイロントリコットからなることを特徴とする請求項１項又は請求項２に記載の防水衣服。
【考案の詳細な説明】
【技術分野】
【０００１】
この考案は、防水衣服に係り、特に、漁師、水産関係業者、農業および土木工事など水に濡れる作業に従事する者が着用して好適な防水衣服に関するものである。
【背景技術】
【０００２】
漁師や水産関係業者などの水に濡れる作業に重視する者が着用する防水衣服は、水作業をするための防水性の生地、例えば、繊維基布に合成樹脂層を塗布した布帛が用いられる。特に、透湿性樹脂層被膜からなる透湿性防水加工布帛は、透湿性と防水性を利用して、防水衣服のみならずウインドブレーカー等のスポーツ衣料としても多用されている。
【０００３】
従来、防水衣料は、所定の形状に裁断された防水加工布を縫合し、縫合部には通常裏面からいわゆる目止めテープを貼り付けることにより製造されている。この場合、縫合部は、防水加工布自体の防水性に比べて、防水性が劣るという問題がある。
【０００４】
また、予め、ミシン糸で縫合して接合強度を強くした後、高周波ウエルダー等により溶着接合して防水性とともに接着強度を保つものが知られている（例えば、特許文献１参照）。
【先行技術文献】
【特許文献】
【０００５】
【特許文献１】実公昭６２-２４５１６５号公報
【考案の概要】
【考案が解決しようとする課題】
【０００６】
上記した特許文献１のものにおいては、ミシン縫いで縫合した後、高周波ウエルダー等により溶着接合するので、ミシン縫いの作業と溶着作業を必要とし、縫合作業が煩瑣になるという難点がある。また、ミシン目部分は、防水性が劣るという難点もある。
【０００７】
この考案は、上記した従来の問題点を解決するためになされたものにして、作業性がよく、高い防水性が得られる防水衣服を提供することを課題とする。
【課題を解決するための手段】
【０００８】
この考案は、撥水性の表地と、裏地と、前記表地と裏地の間に配せられた水蒸気を透過し、液体を透過しないポリマーフィルム層と、を有する防水加工布を２枚重ね合わせて接合した防水衣服において、所定の形状に裁断された２枚の防水加工布のそれぞれの表地側がホットメルト樹脂を介して重ね合わされるとともに、接合すべき一方の防水加工布の裏地側がホットメルト樹脂を介して折り返して重ね合わされ、前記ホットメルト樹脂により、２枚の防水加工布の表地および一方の防水加工布の裏地側が溶融接着されていることを特徴とする。
【０００９】
また、前記ポリマーフィルム層は、温度反応記憶機能を有する形状記憶ポリマー、前記表地はナイロンタッサー、裏地はナイロントリコットで構成することができる。
【考案の効果】
【００１０】
この考案は、撥水性の表地と、裏地と、前記表地と裏地の間に配せられた水蒸気を透過し、液体を透過しないポリマーフィルム層と、を有する防水加工布をホットメルト樹脂によって接合することで、外部からの水に対する高度の防水性が得られるとともに、縫合作業も不要となるので作業性も向上する。
【図面の簡単な説明】
【００１１】
【図１】この考案の２枚の生地を接合する状態を示す模式的断面図である。
【図２】この考案の２枚の生地を接合する状態を示す模式的断面図である。
【図３】この考案の２枚の生地を接合する状態を示す模式的斜視図である。
【図４】この考案の２枚の生地を高周波エルダーで接合する状態を示す模式的断面図である。
【図５】この考案の２枚の生地を接合した状態を示す模式的断面図である。
【図６】この考案の２枚の生地を接合する状態の他の例を示す模式的断面図である。
【図７】防水衣服としてのオーバーズボンを示し、(ａ)は正面図、（ｂ）は背面図である。
【考案を実施するための形態】
【００１２】
この考案の実施の形態について図面を参照しながら詳細に説明する。なお、図中同一または相当部分には同一符号を付し、説明の重複を避けるためにその説明は繰返さない。
【００１３】
図７は、この考案の実施形態を示す、漁師や水産関係業者などの水に濡れる作業に従事する者が着用する防水衣服としてのオーバーズボンであり、同(ａ)は正面図、同（ｂ）は背面図である。
【００１４】
このオーバーズボン３は、ズボン３１と、胸当て部３２と、背当て部３３と、一対の肩掛けベルト３４とで構成されている。このオーバーズボン３は、所定の形状に裁断された防水加工布を接合部１０で接合してオーバ-ズボンに形成される。正面側のズボン３１には、ファスナー３５が設けられる。
【００１５】
所定の形状に裁断された防水加工布１1、１2は、図１〜図４に示すように、撥水性の表地１１と、裏地１２と、表地１１と裏地１２の間に配せられた水蒸気を透過し、液体を透過しないポリマーフィルム層１３とで構成される。
【００１６】
ここで、この実施形態で用いられるポリマーフィルム層１３は、温度反応記憶機能を有する形状記憶ポリマーである。このポリマーは、無孔質素材で構成されているが、温度によってミクロブラウン運動を起こす特性を持ち、衣服内温度が上昇すると、ミクロブラウン運動が活発化し、互いのポリマー分子の隙間が大きくなって水の分子が通り抜けるだけのミクロの穴が生じる環境温度適応型の防水、透湿素材である。
【００１７】
そして、表地１１は、例えば、ナイロンタッサー、裏地１２は、例えば、ナイロントリコットが用いられ、ポリマーフィルム層１３の表裏に表地１１と裏地１２をラミネートして防水加工布が得られる。
【００１８】
このような防水加工布は、例えば、ディアプレックス（登録商標）として、三菱商事ファッション株式会社が販売している素材を用いることができる。
【００１９】
上記したように、衣料として用いるために、所定の形状に裁断された２枚の防水加工布１1、１2を接合部１０で接合する。この実施形態においては、接合部１０を作業性良く且つ防止性が保てるように、ホットメルト樹脂１４による溶着により、２枚の防水加工布１1、１2を接合している。
【００２０】
図１〜図５に示すように、この実施形態の衣服の接合部１０は、所定の形状に裁断された２枚の防水加工布１1、１2のそれぞれの表地１１、１１側がホットメルト樹脂１４を介して重ね合わされる。そして、接合すべき一方の防水加工布１1の裏地１２側がホットメルト樹脂１４を介して折り返して重ね合わされる。ホットメルト樹脂１４を溶着することにより、２枚の防水加工布１1、１2の表地１１、１１および一方の防水加工布１1の裏地１２側が溶融接着され、接合部１０を形成する。
【００２１】
ホットメルト樹脂１４は、例えば、ポリアミド系共重合物、アクリル酸共重合物、エチレンビニルアセテート共重合体等がテープ状またはスパンボンド状のホットメルト樹脂を用いることができる。
【００２２】
次に、２枚の防水加工布１1、１2を接合する方法につき、図１〜図５を参照して説明する。図１〜図３に示すように、シート状のホットメルト樹脂１４を防水加工布１1の表地１１と他の防水加工布１2の表地１１との間に挾んで積層する。そして、一方の防水加工布１1と他方の防水加工布１2の端同志が合わされる。そして、一方の防水加工布１1が折り返され、折り返された防水加工布１1の裏地１２間、１２間にシート状のホットメルト樹脂１４を挟んで積層し、全体の接合構造が形成されている。図４に示すように、高周波ウエルダーの電極１５で押圧加熱し、それぞれのホットメルト樹脂１４が溶融して、防水加工布１1、１2の表地１１、１１間と防水加工布１2の裏地１２が接合し、防水性に優れた接合部１０が得られる。この接合部１０は、ホットメルト樹脂１４によって外部からの水に対する高度の防水性が得られ、オーバーズボンのみならず、レインコート、作業服などのつなぎ部分の接合に適した防水性の高い接合が得られる。また、縫合作業も不要となるので作業性も向上する。
【００２３】
この実施形態による防水衣服の接合構造は、高周波ウエルデイングでホットメルト樹脂１４を融解させ、相接する防水加工布からなる防水加工布１1、１2の生地の隙間にホットメルト樹脂１４が一様に広がり、薄く均一な膜を形成し、各層間に存在する凹凸を埋め、表地１１の面からの水の浸入を遮断する柔軟で、外観美麗な防水構造が得られる。
【００２４】
図１〜図５に示す実施形態においては、所定の形状に裁断された２枚の防水加工布１1、１2のそれぞれの表地１１、１１側と、合すべき一方の防水加工布１1の裏地１２側にそれぞれシート状のホットメルト樹脂１４、１４を介して重ね合わしている。これに対して、図６に示す実施形態においては、１枚のシート状のホットメルト樹脂１４ａを折り曲げてそれぞれの間に配置している。すなわち、所定の形状に裁断された２枚の防水加工布１1、１2のそれぞれの表地１１、１１側の間にシート状のホットメルト樹脂１４ａを配置する。そして、このメルト樹脂１４ａを折り曲げて、接合すべき一方の防水加工布１1の裏地１２側にホットメルト樹脂１４ａを配置し、裏地１２側を折り返して重ね合わせる。ホットメルト樹脂１４ａを溶着することにより、２枚の防水加工布１1、１2の表地１１、１１および一方の防水加工布１1の裏地１２側が溶融接着され、接合部１０が形成される。このように、１枚のシート状のホットメルト樹脂１４ａを用いて接合部１０を形成しても良い。
【００２５】
今回開示された実施の形態はすべての点で例示であって制限的なものではないと考えられるべきである。この考案の範囲は、上記した実施の形態の説明ではなくて特許請求の範囲によって示され、実用新案登録請求の範囲と均等の意味および範囲内でのすべての変更が含まれることが意図される。
【産業上の利用可能性】
【００２６】
漁師、水産関係業者、農業および土木工事など水に濡れる作業に従事する者が着用する防水衣服、オーバーズボンやオーバーオール、レインコートやアウトドアのウインドブレーカーなど種々の防水衣服に用いることができる。
【符号の説明】
【００２７】
１1、１2  防水加工布
１０  接合部
１１  表地
１２  裏地
１３  ポリマーフィルム層
１４  ホットメルト樹脂
【図１】
0003194161.tif 000003
【図２】
0003194161.tif 000004
【図３】
0003194161.tif 000005
【図４】
0003194161.tif 000006
【図５】
0003194161.tif 000007
【図６】
0003194161.tif 000008
【図７】
0003194161.tif 000009